(57)【要約】      （修正有）【課題】油や埃などが付着・蓄積されたフィルターの洗浄性を高めることで清掃やメンテナンスの手間を軽減する洗浄装置を備えたレンジフードを供給する。【解決手段】レンジフード内に備えた洗浄ケーシング１１は、フィルター１０と対向する内面を全てマイクロ波遮断板とし、フィルター１０をセラミックもしくはガラス製にし、マイクロ波発生装置２２を有するので、フィルターを洗浄する際に水洗浄に加えてマイクロ波照射による油分子の振動により油の流動性を上げ、洗浄性を高めることが可能となり、清掃やメンテナンスの手間を軽減させることが可能となる。【選択図】図１
2017058092.tif 000002
【特許請求の範囲】
【請求項１】
汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲し洗浄ケーシング吸込口と洗浄ケーシング吐出口を設けた洗浄ケーシングと、前記フィルターに対向する少なくとも１つの噴射口を有した洗浄ノズルと、前記洗浄ノズルに水を供給する給水手段と、前記洗浄ケーシング内に貯まった汚水の排水手段を有するレンジフードであって、前記フィルターはセラミックまたはガラス製であり、前記洗浄ケーシングの内面はマイクロ波を遮断するマイクロ波遮断板で構成し、前記フィルターに向けてマイクロ波を照射できるマイクロ波発生装置を設け、洗浄時のみ前記洗浄ケーシング吸込口と前記洗浄ケーシング吐出口を閉じるマイクロ波遮断板で構成した洗浄ケーシング吸込口遮断板と洗浄ケーシング吐出口遮断板を備えたレンジフード。
【発明の詳細な説明】
【技術分野】
【０００１】
本発明は、油煙や埃といった空気の汚れである粒子を捕集するフィルターを備えたレンジフードに関する。
【背景技術】
【０００２】
従来、この種のレンジフードには調理で発生する油煙や埃等を捕集する目的としてフィルターが取り付けられているものが知られている（例えば、特許文献１参照）。
【０００３】
以下、そのレンジフードについて図４を参照しながら説明する。
図４は、特許文献１に開示されている従来のレンジフード１００の構成図である。油煙等の汚れを含む空気１０１は、吸気口１０２を通過して排気装置１０３の前方に配置されたフィルター１０４を通過する。センサー１０６がフィルター１０４の汚れを検知すると、回転可動装置１０５がフィルター１０４を回転させて、汚れを遠心力で除去する。
【０００４】
また、この種のレンジフードには調理で発生する油煙や埃等を捕集するフィルターを洗浄液に浸漬させて洗浄するものもある（例えば、特許文献２参照）。
【０００５】
以下、そのレンジフードについて図５を参照しながら説明する。
【０００６】
図５は、特許文献２に開示されている他の従来のレンジフード２００の構成図である。
レンジフード２００は、吸引口２０１とファン２０２との間にフィルター２０３を備える。フィルター２０３は水平方向の回転軸２０４で回転できる。フィルター２０３の回転軸２０４より下方部は、洗浄タンク２０５に収容された洗浄液２０６に浸漬される。フィルター２０３の回転軸２０４より上方の部分には油、埃等の汚れを含む空気が通過して、その汚れが付着する。そして回転軸２０４によりフィルター２０３を回転させることで、洗浄液２０６に浸漬させて洗浄する。
【先行技術文献】
【特許文献】
【０００７】
【特許文献１】特開平３−１６４６３９号公報
【特許文献２】特開平６−１３７６３０号公報
【発明の概要】
【発明が解決しようとする課題】
【０００８】
このような従来のレンジフード１００では、遠心力だけでは完全に汚れが取り除けずフィルター１０４に残留する。残留した汚れは堆積して乾燥すると、ますます遠心力だけでは汚れを除去するのが困難である。そのため、長期使用による油汚れの蓄積がフィルター１０４の目詰まりを起こし、レンジフードの基本機能である換気風量の低下または汚れを吸引口から吸引することが困難となる。
【０００９】
また、従来のレンジフード２００では、洗浄率が十分高いものではない。さらに残着した油汚れは乾燥や酸化が促進すると粘度が上がり、ますます除去が困難となり洗浄率を低下させ、次第にフィルター２０３の汚れ蓄積が目詰まりを招き、レンジフード２００の性能が低下する。
【００１０】
そして、上記のように、これらのフィルターは、使用とともに汚れが堆積するので、定期的にフィルターを取り外してのメンテナンスをすることが必要となる。
【００１１】
そこで本発明は、上記従来の課題を解決するものであり、フィルターの洗浄性を向上したレンジフードを提供することを目的としている。
【課題を解決するための手段】
【００１２】
そして、この目的を達成するために、本発明は、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲し洗浄ケーシング吸込口と洗浄ケーシング吐出口を設けた洗浄ケーシングと、前記フィルターに対向する少なくとも１つの噴射口を有した洗浄ノズルと、前記洗浄ノズルに水を供給する給水手段と、前記洗浄ケーシング内に貯まった汚水の排水手段を有するレンジフードであって、前記フィルターはセラミックまたはガラス製であり、前記洗浄ケーシングの内面はマイクロ波を遮断するマイクロ波遮断板で構成し、前記フィルターに向けてマイクロ波を照射できるマイクロ波発生装置を設け、洗浄時のみ前記洗浄ケーシング吸込口と前記洗浄ケーシング吐出口を閉じるマイクロ波遮断板で構成した洗浄ケーシング吸込口遮断板と洗浄ケーシング吐出口遮断板を備えたレンジフードであり、これにより所期の目的を達成するものである。
【発明の効果】
【００１３】
本発明のレンジフードは、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲し洗浄ケーシング吸込口と洗浄ケーシング吐出口を設けた洗浄ケーシングと、前記フィルターに対向する少なくとも１つの噴射口を有した洗浄ノズルと、前記洗浄ノズルに水を供給する給水手段と、前記洗浄ケーシング内に貯まった汚水の排水手段を有するレンジフードであって、前記フィルターはセラミックまたはガラス製であり、前記洗浄ケーシングの内面はマイクロ波を遮断するマイクロ波遮断板で構成し、前記フィルターに向けてマイクロ波を照射できるマイクロ波発生装置を設け、洗浄時のみ前記洗浄ケーシング吸込口と前記洗浄ケーシング吐出口を閉じるマイクロ波遮断板で構成した洗浄ケーシング吸込口遮断板と洗浄ケーシング吐出口遮断板を備えているので、洗浄時には洗浄ノズルからの散水によりフィルターの汚れを除去しながら全面を濡らし、洗浄ケーシング内に洗浄水をフィルターの一部が浸かるほど貯めた後、洗浄ケーシング吸込口と洗浄ケーシング吐出口をマイクロ波遮断板で閉じて洗浄ケーシング内部をマイクロ波遮断板で囲まれた状態としてから、フィルターの回転と同時に、マイクロ波発生装置からマイクロ波を発生させると、フィルターに付着していた油分子はマイクロ波により振動し、流動性が上がった状態でフィルターが回転し洗浄水の中を潜ることで、油が水中に流動していき、フィルター上で固着していた油汚れを除去でき洗浄性を高める効果を奏する。
【図面の簡単な説明】
【００１４】
【図１】本発明の実施の形態１のレンジフードの側面構成図
【図２】本開発の実施の形態１のレンジフードの通風時における洗浄ケーシングの詳細図（図１の破線部分）
【図３】本開発の実施の形態１のレンジフードの洗浄時における洗浄ケーシングの詳細図（図１の破線部分の図）
【図４】従来のレンジフードの設置状態を示す構成図
【図５】従来の他のレンジフードの設置状態を示す構成図
【発明を実施するための形態】
【００１５】
本発明の請求項１に係わるレンジフードは、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲し洗浄ケーシング吸込口と洗浄ケーシング吐出口を設けた洗浄ケーシングと、前記フィルターに対向する少なくとも１つの噴射口を有した洗浄ノズルと、前記洗浄ノズルに水を供給する給水手段と、前記洗浄ケーシング内に貯まった汚水の排水手段を有するレンジフードであって、前記フィルターはセラミックまたはガラス製であり、前記洗浄ケーシングの内面はマイクロ波を遮断するマイクロ波遮断板で構成し、前記フィルターに向けてマイクロ波を照射できるマイクロ波発生装置を設け、洗浄時のみ前記洗浄ケーシング吸込口と前記洗浄ケーシング吐出口を閉じるマイクロ波遮断板で構成した洗浄ケーシング吸込口遮断板と洗浄ケーシング吐出口遮断板を備えたものである。
【００１６】
これにより、フィルターの洗浄時には、まず洗浄ノズルからの散水でフィルターの汚れを除去しながら全面を濡らし、洗浄ノズルの散水を止めた後、洗浄ケーシング吸込口と洗浄ケーシング吐出口を洗浄ケーシング吸込口遮断板と洗浄ケーシング吐出口遮断板で閉じ、洗浄ケーシング内をマイクロ波遮断板で囲まれた状態とし、フィルターの回転と同時に、マイクロ波発生装置からマイクロ波を発生させると、フィルターに付着していた油分子はマイクロ波により振動し、流動性が上がる。その状態でフィルターが回転することで洗浄水の中に潜り、油が水中に流動していくので、フィルター上から除去することができる。同時に埃などの汚れも油と伴ってフィルター上から除去される。したがって洗浄での油汚れの除去率が向上する。加えてフィルターや洗浄水についてはヒーターが無くともマイクロ波による分子振動により温度が上昇し、油が接した際には油を軟化させるので洗浄しやすくなるといった洗浄性を高める効果を奏する。
【００１７】
以下、本発明の実施の形態について図面を参照しながら説明する。
【００１８】
（実施の形態１）
図１に装置を備えたレンジフードの構成を示す。
【００１９】
調理器（図示せず）の上方または周囲に、調理にて発生した油煙や周囲に浮遊する埃である微小物を捕集する吸込口１を設けたフード２を設置し、フード２には、天面に屋外と連通したダクト３を介して連通する吐出口４を設け、内部にはファンとモーターを備えた排気装置５を包括した送風ケーシング６を配設し、この排気装置５を介し吸込口１と吐出口４を結ぶ通風路７を形成している。
【００２０】
また、送風ケーシング６の上流側であって、フード２内の吸込口１側には、平坦な整流板８が設けられ、吸込口１の下流側となる排気装置５の前面に駆動手段９を連結した油や埃を捕集するためのフィルター１０を設けている。駆動手段９はフィルター１０を回転駆動するものである。
【００２１】
フィルター１０の外縁には、フィルター１０を覆う箱状の洗浄ケーシング１１を有し、通風を確保するためフィルター１０の上流側に洗浄ケーシング吸込口１２と、下流側に洗浄ケーシング吐出口１３を有している。洗浄ケーシング１１は、フィルターの一部が浸る程度に洗浄水を貯めることができるものである。フィルター１０の回転軸よりも下位を浸るようにしている。また、フィルター１０の上流側には、少なくとも１つの噴射口を持ち、洗浄ケーシング吸込口１２でフィルター１０に対向した洗浄ノズル１４が設けられている。
【００２２】
洗浄ノズル１４は、貯水装置１５と給水ポンプ１６と給水パイプ１７ａおよび給水パイプ１７ｂからなる給水手段１８に接続されている。また、洗浄ケーシング１１の下端部には小孔１９と電磁弁２０を設け、洗浄後の洗浄ケーシング１１内に貯まった汚水は電磁弁２０を開けることで小孔１９から排水手段２１へと回収する構造を設けている。貯水装置１５には、フィルター１０に固着した油や埃などの汚れを剥がしやすくするため、例えば約４０℃のお湯を洗浄前に入れることも可能である。以下では水と記載して説明する。
【００２３】
さらに図２は、通風時における図１の破線部分内の洗浄ケーシング１１内部の詳細を示した図である。フィルター１０へマイクロ波を照射できる位置にマイクロ波発生装置２２を設ける。例えば、フィルター１０の回転軸よりも上位に配置する。マイクロ波発生装置２２は、マイクロ波を発生するマグネトロンとそれを囲う箱体２３からなり、箱体２３はフィルター１０へ対向する面として対向面２４をマイクロ波が透過するマイクロ波透過板を用い、その他の面２５はマイクロ波を遮断するマイクロ波遮断板でできている。マイクロ波透過板は例えば合成マイカを用いる。マイクロ波遮断板は２枚のガラスの間にマイクロ波を漏洩させないための遮蔽板（例えば、金網やパンチングメタル等）が挟まれた構成をしている。例えば電子レンジで用いられているマイクロ波の周波数は２．４５ＧＨｚであり、遮蔽板はその波長１２ｃｍよりも小さなメッシュ構造をしていれば良い。また、フィルター１０と対向する洗浄ケーシング内面２６は全てマイクロ波遮断板でできている。
【００２４】
図３は洗浄時における図１の破線部分の洗浄ケーシング１１内部の詳細を示した図である。洗浄時には洗浄ケーシング吸込口１２と洗浄ケーシング吐出口１３はマイクロ波遮断板で構成された洗浄ケーシング吸込口遮断板２７と洗浄ケーシング吐出口遮断板２８で閉じることが可能な構造とする。洗浄ケーシング吸込口遮断板２７と洗浄ケーシング吐出口遮断板２８は洗浄の前後に使用者自身で挿入および抜き取りを行う、もしくはモーター等の原動力により開閉する仕組みをとる。
【００２５】
一方、フィルター１０は、セラミックやガラス製で構成され、形状はマイクロ波が照射させられる形状ならば良いが、例えば、回転駆動させることを考慮すると、円盤状とすることが好ましい。駆動手段９には、一例としてモーターなどを備え、外殻はマイクロ波遮断板で覆われている。
【００２６】
以上のように構成したレンジフードは、図１に示すように、調理時など油煙や室内の埃などの汚れ捕集時には、洗浄ケーシング吸込口１２と洗浄ケーシング吐出口１３は開口しており通風可能な状態でマイクロ波発生装置２２は作動させず、排気装置５を作動させ送風を行うと発生した油煙は整流板８近傍の吸込口１から通風路７を通り吐出口４から排気される。この際にフィルター１０により油煙や埃などは付着することで捕集、蓄積される。蓄積した油はフィルター１０表面にこびりつき、乾燥および酸化することで粘度が上がりさらに付着力が高くなって除去が困難になる。また埃などの繊維状の汚れは油など粘度の高い箇所に多く付着し、絡み合い凝集することで除去が困難となる。これらがフィルター１０の孔まで塞ぐことで目詰まりを発生させ、排気風量の低下を招いてしまう。そのため、フィルター１０の洗浄は定期的に必要になる。
【００２７】
さて、フィルター１０の洗浄時には、まず排気装置５の送風を止める。そして、駆動手段９によりフィルター１０を回転させ、同時に給水ポンプ１６により貯水装置１５に貯めた水をくみ上げ洗浄ノズル１４に供給する。洗浄ノズル１４の噴射口より噴射された水は、フィルター１０表面に衝突しながら汚れを流し落とすとともに、フィルター１０の表面や孔を通過する際に、フィルター１０の孔に絡み合い蓄積された汚れも合わせて流し落とすことができる。あわせてフィルター１０の回転による遠心力によって洗浄水と汚れをフィルター１０の外周側に寄せ、汚れは外周縁から飛散させて洗浄することができ、洗浄水はフィルター１０全面に行き渡らせることができる。
【００２８】
さらに、洗浄水が洗浄ケーシング１１内にフィルターの一部が浸るほど貯まった後、洗浄ノズル１４からの水噴射を止め、洗浄ケーシング吸込口１２と洗浄ケーシング吐出口１３を洗浄ケーシング吸込口遮断板２７と洗浄ケーシング吐出口遮断板２８で閉じ、洗浄ケーシング１１内をマイクロ波遮断板で囲まれた状態とする。フィルター１０の回転と同時に、マイクロ波発生装置２２でマイクロ波を発生させると、フィルターと箱体の対向面２４から透過したマイクロ波がフィルター１０に向かって照射される。フィルター１０にマイクロ波が当たると、そこに付着していた油分子がマイクロ波により振動し、流動性が上がる。その状態でフィルター１０が回転することで洗浄水の中に潜り、油が水中に流動していき、フィルター１０上から油汚れが剥離する、同時に埃などの汚れも油と伴ってフィルター１０上から除去される。したがって洗浄での油汚れの除去率が向上する。加えてフィルターや洗浄水についてはヒーターが無くともマイクロ波による分子振動により温度が上昇し、油が接した際には油を軟化させるので洗浄しやすくなる。また、洗浄ケーシング吸込口遮断板２７と洗浄ケーシング吐出口遮断板２８がマイクロ波照射中は閉じているので、洗浄ケーシング１１内に貯まっている洗浄水が跳ねることがあっても使用者側や排気装置５側へ流出することが無い。
【００２９】
そして洗浄終了後には、電磁弁２０を開けて排水手段へ排水し、洗浄ケーシング吸込口遮断板２７と洗浄ケーシング吐出口遮断板２８を開けてフィルター１０上流と下流の通風を確保する。
【００３０】
以上から本発明のレンジフードは定期的にフィルターを取り外すことなく、乾燥および酸化をして固着したフィルター上の油や埃などの汚れに対して洗浄性を向上する効果を提供する。また、マイクロ波発生装置２２により洗浄ケーシング１１に貯まった水も温めることが可能となるので、ヒーターを用いることなく洗浄水を昇温できる。
【００３１】
上記のようにフィルター１０にマイクロ波が当てて油分子流動性を上げるという効果は、取り外し可能なフィルターにおいては、上記構成をしたフィルターを取り外した後、使用者が既存の電子レンジに入れてマイクロ波を照射させることでも油の洗浄率を高める効果を得ることができる。
【産業上の利用可能性】
【００３２】
本発明では、洗浄ケーシングの内部をマイクロ波遮断板で囲い、フィルターはセラミックもしくはガラス製であり、フィルターと対面する位置にマイクロ波発生装置を設けた構成をとり、油煙や埃などの汚れを捕集するフィルターを洗浄する際に水洗浄に加えてマイクロ波による油分子の振動を利用することで油の流動性を上げ、高い洗浄性を示し、フィルターの目詰まりを大きく軽減したものとして有用である。
【符号の説明】
【００３３】
１      吸込口
２      フード
３      ダクト
４      吐出口
５      排気装置
６      送風ケーシング
７      通風路
８      整流板
９      駆動手段
１０    フィルター
１１    洗浄ケーシング
１２    洗浄ケーシング吸込口
１３    洗浄ケーシング吐出口
１４    洗浄ノズル
１５    貯水装置
１６    給水ポンプ
１７ａ  給水パイプ
１７ｂ  給水パイプ
１８    給水手段
１９    小孔
２０    電磁弁
２１    排水手段
２２    マイクロ波発生装置
２３    箱体
２４    対向面
２５    その他の面
２６    洗浄ケーシング内面
２７    洗浄ケーシング吸込口遮断板
２８    洗浄ケーシング吐出口遮断板
１００  レンジフード
１０１  汚れを含む空気
１０２  吸気口
１０３  排気装置
１０４  フィルター
１０５  回転可動装置
１０６  センサー
２００  レンジフード
２０１  吸引口
２０２  ファン
２０３  フィルター
２０４  回転軸
２０５  洗浄タンク
２０６  洗浄液
【図１】
2017058092.tif 000003
【図２】
2017058092.tif 000004
【図３】
2017058092.tif 000005
【図４】
2017058092.tif 000006
【図５】
2017058092.tif 000007